(57)【要約】【課題】  木造軸組材との密着性を高め、気密住宅における金物の熱伝導を最小限に抑えることにより結露を効果的に防止でき、かつ、体裁もよく、また、施工上の誤差も吸収可能な木造軸組用金物の結露防止用キャップを提供する。【解決手段】  木造軸組用金物である座金付きナット６に嵌着し、木造軸組材の外面に形成するザグリ１７に嵌入する合成樹脂製の円盤状キャップ１８であって、外周部に座ぐり１７の内周面に当接する弾性リブ１９を設け、この弾性リブ１９の外周部を座ぐり１７の内周面に当接させて、座ぐり１７を密閉する。【選択図】        図３
2006200177.tif 000002
【特許請求の範囲】
【請求項１】
木造軸組用金物の端部に嵌着し、木造軸組材の外面に形成する座ぐりと係合する合成樹脂製の円盤状キャップであって、
前記円盤状キャップを構成するキャップ主体の外周部に、座ぐり内周面と当接する弾性リブを設けたこと
を特徴とする木造軸組用金物の結露防止用キャップ。
【請求項２】
前記キャップ主体は、
所要の厚みを有する円盤の外周部の上下部に、それぞれ凹状の条溝をリング状に形成することによって、外周部の中央に肉薄の弾性リブを、上下面の外周部よりも突出させて一体的に形成したこと
を特徴とする請求項１に記載の木造軸組用金物の結露防止用キャップ。
【請求項３】
前記キャップ主体は、
一方の側面に、前記木造軸組用金物に形成された回動用の係合孔に嵌合する突起と係合する係合突起が形成されていること
を特徴とする請求項１に記載の木造軸組用金物の結露防止用キャップ。
【請求項４】
前記木造軸組用金物は、
座金付きナットであって、
座金には、ナットを回動するための複数の回動用の係合孔が形成されていること
を特徴とする請求項１又は３に記載の木造軸組用金物の結露防止用キャップ。
【請求項５】
前記木造軸組用金物は、
座金付きナットであって、
座金はナットの螺子孔に連通する係合孔を有し、この係合孔と係合する係合突起が前記キャップ主体の一方の側面に形成されていること
を特徴とする請求項１に記載の木造軸組用金物の結露防止用キャップ。
【発明の詳細な説明】
【技術分野】
【０００１】
この発明は、木造軸組用金物の使用に際して、木造軸組用金物の端部が外気に触れることを防ぎ、金物の熱伝導を最小限に抑えることができる結露防止用キャップに関するものである。
【背景技術】
【０００２】
木造の一戸建て住宅では、軸組を構成する木材（柱、梁等の横架材など）の接合に、在来工法のホゾ（■；長ホゾ、平ホゾ、短ホゾ、扇ホゾなど）と、これらにホゾに対応したホゾ孔の嵌合を利用する構造から、集成材と金物によるメタルジョイント構造に移行しつつある。
【０００３】
このホゾ工法は、大地震などの揺れに対し、ホゾがホゾ孔から抜け落ちて、家屋が倒壊するおそれがあることが指摘されたが、メタルジョイント構造では、抜け落ちる心配が無く、耐震性が高いという利点がある。
【０００４】
また、在来の接合構造では、木材に角孔をえぐる加工によってホゾ孔を形成しているため、特に近年は熟練した大工の不足もあって、ホゾ孔の深さをホゾの高さに合わせて正確に作るのが困難となりつつある。したがって、ホゾが、ホゾ孔の底に突き当たって十分差し込めない“浮き”を防止するために、通常はホゾ孔を深めに形成しているが、その結果、木材の欠落部分が大きくなって断面性能が低下するとともに、ホゾがホゾ孔の底に到達せずに、荷重によって時間とともにホゾ側の木材が沈み込むおそれがある。
【０００５】
これに対してメタルジョイント構造では、木材に接合金物を通す、あるいは差込むための孔、または溝とボルト孔、またはドリル孔（ドリフトピン用）を複数個形成するだけなので、断面性能に影響するほどの空洞部分が発生しない。また、このような孔や溝は、加工しやすい。さらに、他方の木材は、複数のドリフトピンまたはボルトと受け金物との係合によって支持されるので、一方の木材に掛る負荷は軽減され、前記の沈み込みが生じるおそれがほとんどない。
【０００６】
このように優れた機能を有するメタルジョイント構造であるが、住宅の気密化と断熱化を向上させようとした場合、金物部分だけは、外壁側から室内側に貫通していることになる。
【０００７】
鉄を主原料とする金物は、熱伝導率も高く、室内側に露出する金物だけが外部の熱を伝わり結露を起こす原因となる。
【０００８】
そこで、意匠登録第１０６７７００号公報（特許文献１）にあるようなボルト、ナット用のカバー体を設けることも提案されている。これは、本願の図９〜１０に示すように、柱１、梁２、土台等の骨材同士を突き合わせた状態で連結する連結部材３の、柱１の側面に露出したボルト４に螺着するカバー体５で、ボルト４の端部が外気に触れることを防ぎ、高気密高断熱家屋の形式に寄与する。
【特許文献１】意匠登録第１０６７７００号公報（意匠に係る物品の説明、使用状態を示す参考図）
【発明の開示】
【発明が解決しようとする課題】
【０００９】
前記特許文献１に示されるカバー体５は、意匠に係る物品の説明で明らかなように、柱１の外面に取り付くもので、カバー体５が柱１の外側に飛び出していて体裁がわるく、施工上の不具合も懸念され、また、柱１の部分とこのカバー体５との間に隙間を生じて断熱効果を損なう可能性もある。
【００１０】
この発明はかかる従来例の不都合を解消し、木造軸組材との密着性を高めることができるので、気密住宅における金物の熱伝導を最小限に抑えることにより結露を効果的に防止でき、かつ、体裁もよく、また、施工上の誤差も吸収可能な木造軸組用金物の結露防止用キャップを提供することにある。
【課題を解決するための手段】
【００１１】
前記目的を達成するため、この発明の請求項１に記載の発明は、
木造軸組用金物の端部に嵌着し、木造軸組材の外面に形成する座ぐりと係合する合成樹脂製の円盤状キャップであって、
前記円盤状キャップを構成するキャップ主体の外周部に、座ぐり内周面と当接する弾性リブを設けたこと
を特徴とする木造軸組用金物の結露防止用キャップである。
【００１２】
また、この発明の請求項２に記載の発明は、
請求項１に記載の木造軸組用金物の結露防止用キャップにおいて、
前記キャップ主体は、
所要の厚みを有する円盤の外周部の上下部に、それぞれ凹状の条溝をリング状に形成することによって、外周部の中央に肉薄の弾性リブを、上下面の外周部よりも突出させて一体的に形成したこと
を特徴とするものである。
【００１３】
また、この発明の請求項３に記載の発明は、
請求項１に記載の木造軸組用金物の結露防止用キャップにおいて、
前記キャップ主体は、
一方の側面に、前記木造軸組用金物に形成された回動用の係合孔に嵌合する突起と係合する係合突起が形成されていること
を特徴とするものである。
【００１４】
また、請求項４に記載の発明は、
請求項１又は３に記載の木造軸組用金物の結露防止用キャップにおいて、
前記木造軸組用金物は、
座金付きナットであって、
座金には、ナットを回動するための複数の回動用の係合孔が形成されていること
を特徴とするものである。
【００１５】
また、請求項５に記載の発明は、
請求項１に記載の木造軸組用金物の結露防止用キャップにおいて、
前記木造軸組用金物は、
座金付きナットであって、
座金はナットの螺子孔に連通する係合孔を有し、この係合孔と係合する係合突起が前記キャップ主体の一方の側面に形成されていること
を特徴とするものである。
【発明の効果】
【００１６】
この発明の木造軸組用金物の結露防止用キャップは、木造軸組材との密着性を高めることができるので、気密住宅における金物の熱伝導を最小限に抑えることにより結露を効果的に防止でき、かつ、体裁もよく、また、施工上の誤差も吸収可能なものである。
【００１７】
特に、この請求項１に記載の発明によれば、合成樹脂製の円盤状キャップは、木造軸組用金物端部に嵌着して木造軸組材の外面に形成する座ぐりに嵌入するもので、柱の外面と同一面で仕上げることができ、外側への飛び出しによって体裁が悪くなることもない。しかも、外周部に設けた弾性リブが、座ぐり内周面に当接することにより、座ぐりに密着させることができ、座ぐり位置やその他の施工誤差を弾性リブで吸収することができる。
【００１８】
また、この請求項２に記載の発明によれば、弾性リブの根元部を溝条により形成することで、弾性リブは外側に大きく突出しないでも突出幅を大きく確保して、この弾性リブの撓み性を向上させることができる。また、付け間違い、その他で、円盤状キャップを外す際に、この溝条にドライバー先端を差し込むことで作業を容易に行なうことができる。
【００１９】
また、請求項３に記載の発明によれば、円盤状キャップは、裏面に形成する突起で座金付きナットの座金部分に簡単にかつ確実に嵌着することができる。
【００２０】
さらに、請求項４に記載の発明によれば、前記請求項３記載のこの発明と同じく、円盤状キャップは、裏面に形成する突起で座金に開口する螺子孔部分に簡単にかつ確実に嵌着することができる。
【発明を実施するための最良の形態】
【００２１】
以下、添付の図面に基づいて、この発明にかかる木造軸組用金物の結露防止用キャップの実施形態を詳細に説明する。なお、この発明は、図示する実施形態にのみ限定されるものではなく、合成樹脂製のキャップ主体の外周部に、座ぐりの内周面と当接する弾性リブを有する、というこの発明の要旨を変更しない範囲において、自由に変更することが可能なものである。
【００２２】
図１〜２は、この発明にかかる木造軸組用金物の結露防止用キャップ１８の一実施形態を示す側面図で、木造軸組用金物としては、ハイブリッド丸座金と称される座金付きナット６の場合である。
【００２３】
この座金付きナット６は、図３で明らかなように、螺子管６ｂの一方の端部に、比較的肉厚の円盤状の座金６ａを一体的に形成したもので、座金６ａには、締付用工具（図示せず）の突起を受入れるため、複数の係合孔７が同心円上に形成されている。
【００２４】
図７は、この座金付きナット６を使用した木造軸組を示すもので、柱８と梁９の仕口の接合で、商品名「テナンビーム」と称するコ字形の梁受け金物１０を使用した。
【００２５】
前記梁受け金物１０は、図５〜７に示すように、背部分にボルト孔１１を有する複数の丸ホゾ１２を、上下方向に間隔を存してそれぞれ一体的に形成するとともに、両翼１３にドリフトピン１５を挿通させるためのドリフトピン孔１４をそれぞれ形成したもので、前記丸ホゾ１２は「あご効果」を発揮し、横架材（梁）の下がりを制御するだけでなく、梁受け金物１０の両翼１３が内側によってしまう危険を解消する。
【００２６】
前記柱８や梁９には、天然木に特有の筋や割れを除外し、良質な部分だけを採用した集成材を使用することによって、圧縮、引っ張り、曲げ、せん断等において、ムク材よりも強い強度を有し、乾燥した板材のみを使用することによって、反りや割列がなく、狂いも少ない。そして、梁９の端部に形成するスリット９ａに、前記梁受け金物１０の両翼１３をそれぞれ差し込み、ドリフトピン１５で串刺しにして両者を固定する。
【００２７】
梁受け金物１０の丸ホゾ１２に所要長さのボルト１６の一端を固定したのち、このボルト１６の先端部を、柱８の相対する側面間を貫通させて形成したボルト挿通孔８ａに挿通させて反対側の端部に突出させる。
【００２８】
前記柱８に形成されたボルト挿通孔８ａの各表面には、それぞれ座ぐり１７を形成したもので、前記ボルト１６の端部は、この座ぐり１７の中央から顕出するので、このボルト１６の先端部に、前記座金付きナット６を螺合して締結を行なうものである。
【００２９】
この発明の結露防止用キャップ１８は、前記座金付きナット６の座金６ａに取り付けるもので、合成樹脂製の円盤状のキャップ主体１８ａは、前記座金６ａとほぼ同じ大きさ、または少し径の大きななもので、座金６ａとともに前記座ぐり１７の面内に嵌入可能なものである。
【００３０】
前記結露防止用キャップ１８を構成するキャップ主体１８ａは、外周部に弾性リブ１９を一体的に設けたものであるが、この弾性リブ１９の形成に際し、所要の厚みを有するキャップ主体１８ａの外周部の上下部に、それぞれ凹状の条溝２０，２０をリング状に形成することによって、外周部の中央に肉薄の弾性リブ１９を容易に形成することができる。その際、弾性リブ１９は、上下面の外周部よりも径を大きくし、上下面の外周部よりも突出させて形成するものである。
【００３１】
このように弾性リブ１９の上下に、それぞれ溝条２０，２０を形成し、弾性リブ１９の根元部がこの溝条２０により形成されることで、可撓性を発揮する薄さと、外側に大きく突出しないでも突出幅を大きく確保することができる。
【００３２】
また、結露防止用キャップ１８の裏面には、前記座金６ａに設けた回動用の係合孔７に嵌合する係合突起２１，２１，２１が形成されている。図示の例では、係合孔７は３個あるので、突起２１も３個設けられている。なお、前記係合突起２１は、スリット２１ａを入れて、割りピン状として係合孔７に挿入し易く形成されている。
【００３３】
つぎに、この発明にかかる結露防止用キャップ１８の使用法について説明する。まず、座金付きナット６の螺子管６ｂを、柱８のボルト挿通孔８ａから突出したボルト１６の先端部に係合させたのち、座金６ａに設けられた係合孔７に締付用工具（図示せず）の突起を差し込み、締め付け方向に締付用工具を回転させると、座金付きナット６が柱８方向に引き寄せられ、座金６ａが座ぐり１７内に没入し、梁９と柱８は一体的に結合される。
【００３４】
ついで、キャップ主体１８ａの一側面に形成された各係合突起２１を、座ぐり１７内に固定された座金６ａの係合孔７，７，７にそれぞれ相対させたのち、キャップ主体１８ａを座金６ａに押圧し、図４に示すように、座金付きナット６に結露防止用キャップ１８を装着する。
【００３５】
その際、キャップ主体１８ａの外周部に突出形成された弾性リブ１９は、座ぐり１７の内径よりも多少径が大きく形成されているので、弾性リブ１９が湾曲変形し、座ぐり１７の内周面に圧接状態で当接するので、結露防止用キャップ１８を座ぐり１７に密着させることができる。
【００３６】
なお、取り外しなど何らかの理由によって、座ぐり１７から結露防止用キャップ１８を外す場合には、マイナスドライバーなど先端部が平坦な器具を使用し、その先端を座ぐり１７の内周面に沿って圧入させ、先端部を溝条２０に差し入れて引き起こすことで容易に取り外すことができるので、万が一施工部分を間違えてもその変更が容易である。
【００３７】
図８は、この発明の第２の実施形態を示すもので、キャップ主体１８ａの裏面の中央部に、座金６ａに開口する螺子孔に嵌入する係合突起２２を形成したもので、この係合突起２２を座金６ａに開口する螺子孔に嵌入することによって、結露防止用キャップ１８を座金付きナット６に固定することが可能となる。なお、図示は省略するが、この係合突起２２も、前記突起２１と同様にスリットを入れて割りピン状としてもよい。
【図面の簡単な説明】
【００３８】
【図１】この発明にかかる木造軸組用金物の結露防止用キャップの一例を示す側面図である。
【図２】同背面図である。
【図３】座金付きナットとの組合せを示す説明図である。
【図４】使用時における結露防止用キャップの要部の拡大側面図である。
【図５】この発明の木造軸組用金物の結露防止用キャップを用いた木造軸組の組み立て前の側面図である。
【図６】木造軸組の組み立て後の一部切り欠いた側面図である。
【図７】木造軸組の組み立て前の斜視図である。
【図８】この発明にかかる木造軸組用金物の結露防止用キャップの他の例と座金付きナットとの組合せを示す説明図である。
【図９】従来例を示す斜視図である。
【図１０】従来例を示す縦断側面図である。
【符号の説明】
【００３９】
１      柱
２      梁
３      連結部材
４      ボルト
５      カバー体
６      座金付きナット
６ａ    座金
６ｂ    螺子管
７      係合孔
８      柱
９      梁
９ａ    スリット
１０      梁受け金物
１１      ボルト孔
１２      丸ホゾ
１３      両翼
１４      ドリフトピン孔
１５      ドリフトピン
１６      ボルト
１７      座ぐり
１８      円盤状キャップ
１８ａ    キャップ主体
１９      弾性リブ
２０      溝条
２１      突起
２１ａ    スリット
２２      突起
【図１】
2006200177.tif 000003
【図２】
2006200177.tif 000004
【図３】
2006200177.tif 000005
【図４】
2006200177.tif 000006
【図５】
2006200177.tif 000007
【図６】
2006200177.tif 000008
【図７】
2006200177.tif 000009
【図８】
2006200177.tif 000010
【図９】
2006200177.tif 000011
【図１０】
2006200177.tif 000012